(57)【要約】【課題】遠隔監視制御装置の表示試験を、迅速かつ安全に実施することを可能にした表示回路試験器を提供すること。【解決手段】表示回路試験器１は、遠隔監視制御装置１０２に備えられ、複数の表示入力端子１１０、及び当該表示入力端子１１０に接続された表示回路に電圧を印加する一対の端子１１２、１１４を有する端子台１０６における、前記表示入力端子１１０に電気的に接続されるＳＶ端子１０と、一対の端子１１２、１１４における正極端子１１２に電気的に接続されるＰＳ端子１２と、一対の端子１１２、１１４における負極端子１１４に電気的に接続されるＮＳ端子１４と、ＳＶ端子１０とＮＳ端子１４との間に配置され、外部操作によってオン及びオフのいずれかに切り替えられる切替スイッチと、ＰＳ端子１２とＮＳ端子１４との間に配置されるブザー３０と、を備え、ＳＶ端子１０は、押釦スイッチ３２とブザー３０との間に接続される。【選択図】図１
2016149598.tif 000002
【特許請求の範囲】
【請求項１】
遠隔監視制御装置に備えられ、複数の表示入力端子、及び当該表示入力端子に接続された表示回路に電圧を印加する一対の端子を有する端子台における、前記表示入力端子に電気的に接続される第１テスト端子と、
前記一対の端子における正極の端子に電気的に接続される第２テスト端子と、
前記一対の端子における負極の端子に電気的に接続される第３テスト端子と、
前記第１テスト端子と前記第２テスト端子との間に配置され、外部操作によってオン及びオフのいずれかに切り替えられる切替スイッチと、
前記第２テスト端子と前記第３テスト端子との間に配置されるブザーと、を備え、
前記第１テスト端子は、前記切替スイッチと前記ブザーとの間に接続されることを特徴とする表示回路試験器。
【請求項２】
前記第１テスト端子にヒューズが直列に接続され、当該ヒューズが前記切替スイッチと前記ブザーとの間に接続されることを特徴とする請求項１記載の表示回路試験器。
【請求項３】
前記第１テスト端子及び前記ヒューズに対して直列に抵抗が接続されることを特徴とする請求項２記載の表示回路試験器。
【発明の詳細な説明】
【技術分野】
【０００１】
本発明は、遠隔監視制御装置の表示試験に用いる表示回路試験器に関する。
【背景技術】
【０００２】
従来、電力会社では、発電所、変電所、開閉所及びダムなどの電気所を無人化して遠方から電力機器１０４（例えば、遮断器、断路器及びリレー装置）などを運転制御するために、図４に示すように、制御所に制御所装置１００を設置するとともに電気所に遠隔監視制御装置１０２（以下、「遠制装置１０２」と称する）を設置して、制御情報を制御所装置１００から遠制装置１０２を介して電力機器１０４に送信し、表示・計測情報を電力機器１０４から遠制装置１０２を介して制御所装置１００に送信している。
【０００３】
従来、遠制装置１０２の据付、定期点検、故障対応時に表示試験（表示確認試験）が実施される。この表示試験は、遠制装置１０２の端子台に複数並べて配置されている表示入力端子の一つ一つに対して実施される。
【０００４】
ところで、遠制装置１０２は、表示試験の際に、外部機器と繋がった状態で行われる。このため、外部機器が駆動していることによって信号が入っている表示回路の表示入力端子もあれば、外部機器が駆動していないために信号が入っていない表示回路の表示入力端子もある。
【０００５】
遠制装置１０２に接続されている外部機器が駆動している場合には、表示入力端子に電圧が印加されているという状態を受けて、遠制装置１０２は、表示入力端子に電圧が印加されているという状態を示す情報を制御所装置１００に伝送している。このため、制御所装置１００において、遠制装置１０２の表示回路における所定の表示入力端子に電圧が印加されているか否かが作業員によって確認可能である。なお、以下の説明の便宜上、制御所装置１００において、遠制装置１０２の表示回路における所定の表示入力端子に電圧が印加されている場合を、ポジションに「１」が上がっている、と表現することにする。
【０００６】
表示試験は、遠制装置１０２において作業する作業員と、制御所装置１００において作業する作業員との共同作業によって行われる。
遠制装置１０２において作業する作業員は、試験リード線と直流電圧計とを使い分けながら作業を行う。
【０００７】
まず、制御所装置１００の作業員が、試験対象の表示入力端子に該当するポジションに「１」が上がっているか否か確認する。その確認結果を遠制装置１０２の作業員に伝える。
【０００８】
遠制装置１０２の作業員は、該当ポジションに「１」が上がっている場合には、表示入力端子の電圧を直流電圧計で測定し、電圧ありを確認とする。これにより、表示回路が正常であると判別することができる。
【０００９】
該当ポジションに「１」が上がっていない場合には、試験リード線を用いて表示入力端子と端子台の正極端子とを接続して表示入力端子に電圧を印加し、その旨を制御所装置１００の作業員に伝える。そして、制御所装置１００が、該当ポジションに「１」が上がっていることを確認することにより、表示回路が正常であると判別することができる。作業員は、これらの作業を、全ポジションの表示入力端子に対して実行する。
【００１０】
しかしながら、上述した遠制装置１０２の表示試験においては、遠制装置１０２側の作業員が、該当ポジションが「１」であるか否かに応じて、試験リード線と直流電圧計とを使い分ける必要があり、全表示入力端子の試験に多大な時間を要することになる。このような問題点を解決する手段としては、従来、特許文献１に記載された技術がある。特許文献１には、電力会社などでのシーケンス試験の作業の効率化を図ることができる電圧計付ヒューズクリップについて開示されている。
【先行技術文献】
【特許文献】
【００１１】
【特許文献１】特開２０１４−２１０８８号公報
【発明の概要】
【発明が解決しようとする課題】
【００１２】
特許文献１に記載された技術においては、表示試験に係る時間を削減することが可能になる。しかし、表示試験において、該当ポジションに「１」が上がっているか否かを確認する作業員と、表示入力端子で電圧測定または電圧印加する作業員とが離れた場所で作業を行うことになり、互いに口頭で合図し合いながら作業を進める必要がある。特許文献１に記載された技術においては、この点についての労力を削減することは困難である。
【００１３】
本発明は、このような問題点を解決し、遠制装置の表示試験を、迅速かつ安全に実施することを可能にした表示回路試験器を提供することを目的とする。
【課題を解決するための手段】
【００１４】
前記目的を達成するため、本発明は、次に記載する構成を備えている。
【００１５】
（１）  遠隔監視制御装置に備えられ、複数の表示入力端子、及び当該表示入力端子に接続された表示回路に電圧を印加する一対の端子を有する端子台における、前記表示入力端子に電気的に接続される第１テスト端子と、前記一対の端子における正極の端子に電気的に接続される第２テスト端子と、前記一対の端子における負極の端子に電気的に接続される第３テスト端子と、前記第１テスト端子と前記第２テスト端子との間に配置され、外部操作によってオン及びオフのいずれかに切り替えられる切替スイッチと、前記第２テスト端子と前記第３テスト端子との間に配置されるブザーと、を備え、前記第１テスト端子は、前記切替スイッチと前記ブザーとの間に接続されることを特徴とする表示回路試験器。
【００１６】
（１）によれば、端子台の正極の端子に第２テスト端子（ＰＳ）を、端子台の負極の端子に第３テスト端子（ＮＳ）を予め接続し、遠制装置側の作業員が、第１テスト端子を試験対象の表示入力端子に電気的に接続することにより、表示入力端子に電圧が印加されている場合には、ブザーが鳴動する。制御所装置１００側の作業員が、このブザー音を聞いたときに、該当ポジションに「１」が上がっているか否かを確認し、該当ポジションに「１」が上がっていることが確認できた場合に表示回路が正常であると判定することができる。また、ブザーが鳴動しない場合には、作業員が切替スイッチを操作してオンにする。この時、ブザーが鳴動した場合には、表示回路が正常であると判定することができる。ブザーが鳴動しない場合には、表示回路が異常であると判定することができる。このように、（１）によれば、従来のように、作業員が、試験リード線と直流電圧計とを使い分けながら作業を行う必要がなくなるため、遠制装置の表示試験を、迅速かつ安全に実施することが可能になる。
【００１７】
（２）  （１）において、前記第１テスト端子にヒューズが直列に接続され、当該ヒューズが前記切替スイッチと前記ブザーとの間に接続されることを特徴とする表示回路試験器。
（２）によれば、作業員が第１テスト端子を誤って、例えば、制御回路の端子に接続してしまった場合に、ヒューズが溶断することにより、制御回路が誤作動することが防止される。
【００１８】
（３）  （２）において、前記第１テスト端子及び前記ヒューズに対して直列に抵抗が接続されることを特徴とする表示回路試験器。
【００１９】
（３）によれば、作業員が第１テスト端子を誤って、例えば、制御回路の端子に接続してしまった場合において、ヒューズが溶断する前に制御回路に電圧が印加された場合、抵抗によって制御回路に流れる電流を小さくすることが可能になり、制御回路が誤動作することを防止できる。
【発明の効果】
【００２０】
本発明によれば、遠制装置の表示試験を、迅速かつ安全に実施することを可能にした表示回路試験器を提供することが可能になる。
【図面の簡単な説明】
【００２１】
【図１】図１は、本発明の一実施形態における表示回路試験器１の外観を示す斜視図である。
【図２】本発明の一実施形態における表示回路試験器１の回路構成を示す回路図である。
【図３】遠制装置１０２に備えられた端子台１０６の構成を模式的に示す説明図である。
【図４】電気所に設置された遠制装置１０２について説明するための図である。
【発明を実施するための形態】
【００２２】
以下、本発明の一実施形態について、図面を参照しながら詳細に説明する。
図１は、本発明の一実施形態における表示回路試験器１の外観を示す斜視図である。図２は、本発明の一実施形態における表示回路試験器１の回路構成を示す回路図である。
【００２３】
表示回路試験器１は、筐体５と、回路基板７と、第１テスト端子に相当するＳＶ端子１０と、第２テスト端子に相当するＰＳ端子１２と、第３テスト端子に相当するＮＳ端子１４と、リード線１６、１８、２０と、ブザー３０と、切替スイッチに相当する押釦スイッチ３２と、を備えている。
【００２４】
筐体５は、内部に回路基板７及びブザー３０を収納する。回路基板７は、プリント配線基板に、図２に示す第１抵抗５０、第２抵抗５２、第３抵抗５４、ヒューズ６０、６２の取付部、押釦スイッチ３２の取付部等を実装したものである。
【００２５】
ＳＶ端子１０、ＰＳ端子１２及びＮＳ端子１４は、ワニ口クリップによって構成されている。
リード線１６は、一端が回路基板７に接続され、他端がＳＶ端子１０に接続される導電線である。リード線１８は、一端が回路基板７に接続され、他端がＰＳ端子１２に接続される導電線である。リード線２０は、一端が回路基板７に接続され、他端がＮＳ端子１４に接続される導電線である。リード線１６、１８、２０は、筐体５から外部に延びている。
【００２６】
ブザー３０は、回路基板７に接続され、配線における所定部位に電流が流れた場合に鳴動するものである。また、筐体５におけるブザー３０との対向部位には孔部が形成されており、ブザー３０の鳴動音が外部出力される。
押釦スイッチ３２は、筐体５に外部操作可能に設けられる。押釦スイッチ３２は、回路基板７に接続される。
【００２７】
次に、表示回路試験器１の回路構成について図２を参照しながら説明する。
ＳＶ端子１０とＮＳ端子１４との間に、ＳＶ端子１０側からヒューズ６０、第１抵抗５０、第２抵抗５２、第３抵抗５４、ヒューズ６２の順に直列に接続されている。
【００２８】
ＰＳ端子１２に対して押釦スイッチ３２が直列に接続されており、押釦スイッチ３２は、第１抵抗５０と第２抵抗５２との間に接続されている。ブザー３０は、第３抵抗５４に対して並列に接続されている。
言い換えれば、押釦スイッチ３２は、ＳＶ端子１０とＰＳ端子１２との間に配置され、ブザー３０は、ＰＳ端子と前記第３テスト端子との間に配置される。
【００２９】
図３は、遠制装置１０２に備えられた端子台１０６の構成を模式的に示す説明図である。端子台１０６は、台本体１０８と、台本体１０８に設けられる複数の表示入力端子１１０と、表示入力端子１１０に接続される正極端子１１２と、表示入力端子１１０に接続された表示回路（図示せず）に接続される負極端子１１４と、を備えている。すなわち、端子台１０６の所定の表示入力端子１１０に表示回路が接続され、正極端子１１２と負極端子１１４との間に電圧を印加することにより、正極端子１１２、表示入力端子１１０、表示回路及び負極端子１１４に電流が流れるようになる。
【００３０】
次に、本実施形態の表示回路試験器１の使用方法について説明する。
まず、遠制装置１０２側の作業員は、表示回路試験器１のＰＳ端子１２を遠制装置１０２の端子台の正極端子１１２に接続し、表示回路試験器１のＮＳ端子１４を遠制装置１０２の端子台の負極端子１１４に接続する。なお、ＰＳ端子１２及びＮＳ端子１４は、端子台１０６の全ての表示入力端子１１０に対する試験が終了するまで、正極端子１１２及び負極端子１１４に接続される。
【００３１】
次に、遠制装置１０２側の作業員は、ＳＶ端子１０を、端子台１０６における試験対象の表示入力端子１１０に接触させる。この時、作業員は、押釦スイッチ３２を押下しない。ここで、既に表示入力端子１１０に電圧が印加されていれば、ＳＶ端子１０とＮＳ端子１４との間に電流が流れるため、ブザー３０が鳴動する。なお、表示入力端子１１０に電圧が印加されていない場合には、ＳＶ端子１０とＮＳ端子１４との間に電流が流れないため、ブザー３０は鳴動しない。
【００３２】
ブザー３０が鳴動した場合には、このブザー音を聞いた制御所装置１００の作業員は、試験対象の表示入力端子に該当するポジションに「１」が上がっているか否かを確認し、上がっていることが確認できた場合に、表示回路は正常であると判定する。
【００３３】
ブザー３０が鳴動しない場合には、遠制装置１０２側の作業員が押釦スイッチ３２を押下してオン状態にする。この操作によって、ＰＳ端子１２とＮＳ端子１４との間に電流が流れるため、ブザー３０が鳴動する。なお、このブザー音を聞いた制御所装置１００の作業員は、試験対象の表示入力端子に該当するポジションに「１」が上がっているか否かを確認し、上がっていることが確認できた場合に、表示回路は正常であると判定する。
【００３４】
以上説明したように構成された本実施形態によれば、従来のように作業員が、試験リード線と直流電圧計とを使い分けながら作業を行う必要がなくなるため、遠制装置１０２の表示試験を、迅速かつ安全に実施することが可能になる。
【００３５】
また本実施形態によれば、ＰＳ端子１２とＮＳ端子１４との間にヒューズ６２が設けられているため、例えば、第２抵抗５２及び第３抵抗５４の焼損等により回路が短絡状態になった場合に、ヒューズ６２が溶断する。これにより、表示試験において遠制装置１０２に悪影響を及ぼすことを防止することができる。
【００３６】
また本実施形態によれば、ＳＶ端子１０とＮＳ端子１４との間にヒューズ６０が設けられているため、例えば、作業員が、ＳＶ端子１０を誤って制御回路の端子台１２０の端子に接続してしまった場合に、ヒューズ６０が溶断することにより、制御回路に電圧が印加されなくなり、制御回路が誤動作することが防止される。更に、ヒューズ６０に対して直列に第１抵抗５０が接続されることにより、ヒューズ６０が溶断する前に制御回路に電圧が印加された場合、第１抵抗５０によって制御回路に流れる電流を小さくすることが可能になり、制御回路が誤動作することを防止できる。
【符号の説明】
【００３７】
１  表示回路試験器
５  筐体
７  回路基板
１０  ＳＶ端子
１２  ＰＳ端子
１４  ＮＳ端子
１６、１８、２０  リード線
３０  ブザー
３２  押釦スイッチ
５０  第１抵抗
５２  第２抵抗
５４  第３抵抗
６０、６２  ヒューズ
１００  制御所装置
１０２  遠隔監視制御装置（遠制装置）
１０４  電力機器
１０６  端子台
１０８  台本体
１１０  表示入力端子
１１２  正極端子
１１４  負極端子
１２０  端子台
【図１】
2016149598.tif 000003
【図２】
2016149598.tif 000004
【図３】
2016149598.tif 000005
【図４】
2016149598.tif 000006